(57)【要約】【課題】装置に要する機器点数が少なくて済み、装置に要するコストを低減することができるとともに、装置自体をコンパクト化することのできる有機物含有汚泥の炭化処理装置を提供する。【解決手段】汚泥を乾燥処理して乾燥後の汚泥を排出する乾燥炉１６と、乾燥後の汚泥を乾留処理により炭化させて炭化物を排出する炭化炉１４とを備えた有機物含有汚泥の炭化処理装置において、炭化炉１４の回転ドラム４０から乾燥炉１６の回転ドラム６２を軸方向に連続する形態で突出形成して、炭化炉１４と乾燥炉１６とを一体構造化し、乾燥炉１６で乾燥した汚泥を別途の移送装置を経由することなく乾燥炉１６の回転ドラム６２から炭化炉１４の回転ドラム４０に直接的に移行させるようにする。【選択図】        図２
2005230788.tif 000002
【特許請求の範囲】
【請求項１】
（イ）乾燥容器としての回転ドラムを有し、その軸方向の一端側から内部に供給された有機物含有汚泥を、該回転ドラムを回転させつつその内部に沿って軸方向に移動させ、該移動の過程で熱風による該汚泥の乾燥処理を行うとともに、乾燥後の汚泥を軸方向の他端側から排出する乾燥炉と
（ロ）炉体内部に回転ドラムを乾留容器として有し、該回転ドラムの軸方向の一端側から内部に供給された乾燥後の前記汚泥を、該回転ドラムを回転させつつその内部に沿って軸方向に移動させ、該移動の過程で該汚泥を乾留処理により炭化させて、炭化物を該回転ドラムの軸方向の他端側から排出する炭化炉と、を備えた有機物含有汚泥の炭化処理装置において、
前記炭化炉の前記回転ドラムから前記乾燥炉の回転ドラムを軸方向に連続する形態で突出形成して、それら炭化炉と乾燥炉とを一体構造化し、該乾燥炉で乾燥した前記汚泥を別途の移送装置を経由することなく該乾燥炉の前記回転ドラムから前記炭化炉の回転ドラムに直接的に移行させるようになしたことを特徴とする有機物含有汚泥の炭化処理装置。
【請求項２】
請求項１において、前記炭化炉における回転ドラム内部の高温のガスを、前記汚泥の進行方向とは逆向きに該炭化炉の回転ドラム内部から前記乾燥炉の回転ドラム側に乾燥用熱風として流すようになしてあることを特徴とする有機物含有汚泥の炭化処理装置。
【請求項３】
請求項２において、前記炭化処理装置が前記乾燥炉に供給する熱風を発生させる熱風炉を独立に有しておらず、該炭化炉が該熱風炉を兼用していることを特徴とする有機物含有汚泥の炭化処理装置。
【請求項４】
請求項１〜３の何れかにおいて、前記炭化炉の回転ドラム内の高温のガスを前記乾燥用熱風として前記乾燥炉の回転ドラム内に通した後に、再び該炭化炉の排ガス処理室に通して、該排ガス処理室内で２次燃焼させ、未燃ガスを燃焼処理するようになしてあることを特徴とする有機物含有汚泥の炭化処理装置。
【発明の詳細な説明】
【技術分野】
【０００１】
この発明は下水汚泥で代表される有機物含有汚泥を乾留処理により炭化する炭化処理装置に関する。
【背景技術】
【０００２】
家庭等から排出される有機物含有の排水は一般に下水処理施設で活性汚泥法等により排水処理される。
この排水処理に伴って有機汚泥が発生するが、排水処理量の増加とともに有機汚泥の発生量も年々増加し、その処理処分が大きな問題になっている。
【０００３】
有機汚泥を処分するに際し、その有機汚泥には９９％程度の水が含まれていてそのままでは処分できず、そこで減量化のために濃縮及び脱水処理したり、或いは更に焼却したり溶融したりするなど様々な処理が現在施されている。
しかしながら汚泥を焼却或いは溶融処理すると多量のエネルギーを消費し、処理コストが高いものとなる。
そこでエネルギー消費の少ない有機汚泥の減量化処理の１つの方法として、汚泥を乾留処理により炭化することが提案されている。
【０００４】
この炭化処理は、汚泥が基質中に炭素分を４５重量％程度含んでいることから、焼却，溶融処理のように汚泥中の炭素分を消費してしまうのではなく、汚泥を無酸素或いは低酸素状態で熱分解（炭化）することにより炭素分を残留させ、新しい組成を持つ炭化物（炭化製品）として生成させるものである。
【０００５】
図６はそのための装置、即ち有機物含有汚泥の炭化処理装置の従来の一例を示したものである。
図中２００は受入ホッパであり、含水率８０％程度まで脱水された汚泥ケーキがこの受入ホッパ２００に先ず受け入れられる。
ここに受け入れられた汚泥ケーキは、定量供給装置２０２にて乾燥炉２０４へと送られ、そこで所定の含水率、例えば４０％程度の含水率まで乾燥処理される。
【０００６】
この乾燥炉２０４は、回転ドラムを乾燥容器として備えており、その軸方向の一端側から内部に供給された有機物含有汚泥を、回転ドラムを回転させつつ内部に沿って軸方向に移動させ、その移動の過程で熱風により汚泥を乾燥処理して、乾燥後の汚泥を軸方向の他端側から排出する。
尚この乾燥炉２０４では、汚泥ケーキの乾燥と併せてその粉砕が行われる。
【０００７】
乾燥炉２０４で乾燥処理された汚泥は、続いてコンベヤ２０６により炭化炉２０８へと搬送され、そこで乾留処理により汚泥の炭化が行われる。
この炭化炉２０８には、図７にも示しているように炉体２１０の内部に乾留容器としての円筒形状の回転ドラム２１４が設けられており、前段の乾燥炉２０４で乾燥処理された汚泥がコンベヤ２０６により、更には回転ドラム２１４の前端部（図中左端部）位置に設けられたスクリューフィーダ（図示せず）により回転ドラム２１４内部に投入される。
【０００８】
回転ドラム２１４内部に投入された汚泥は、先ず炉体２１０内部に配設された助燃バーナ（外熱室用バーナ）２１６による外熱室２１８内部の雰囲気加熱によって加熱される。
すると汚泥中に含まれていた可燃ガスが、回転ドラム２１４に設けられた吹出パイプ２２０を通じて外熱室２１８の雰囲気中に抜け出し、そしてこの可燃ガスが着火して、以後はその可燃ガスの燃焼により回転ドラム２１４内部の汚泥の加熱が行われる。
この段階では助燃バーナ２１６は燃焼停止される。
【０００９】
図７に示しているように、炉体２１０の内部には外熱室２１８と仕切られた排ガス処理室２２２が設けられており、外熱室２１８からの排ガスはここに導かれる。
この排ガス処理室２２２には排ガス処理室用バーナ２２４が設けられており、排ガス処理室２２２内に導かれた排ガス中の未燃ガスが、この排ガス処理室用バーナ２２４にて２次燃焼される。
【００１０】
回転ドラム２１４内部の汚泥は、図中左端から回転ドラム２１４の回転とともに漸次図中右方向に移って行き（回転ドラム２１４には若干の勾配が設けてある）、そして最終的に乾留残渣（炭化製品）が回転ドラム２１４の図中右端の出口２１２、つまり炭化炉２０８から排出される。
このようにして得られた炭化物（炭化製品）は物性的には木炭に近い性状を有するものであり、園芸用土壌，融雪剤等に利用されている。
【００１１】
図６において、２２６は乾燥炉２０４に供給する熱風を発生させるための熱風炉で、ここでは供給された燃料が燃焼空気の供給の下で燃焼させられて熱風を発生する。
尚ここではパイロットバーナ用にＬＰＧが用いられ、燃焼バーナ用に灯油が用いられている。
【００１２】
熱風炉２２６で発生した熱風は乾燥炉２０４に供給され、更にこれを通過して、その後段の集塵機２２８を通ってそこで集塵され、再び熱風炉２２６に戻されるようになっている。
即ち熱風炉２２６で発生した熱風は、乾燥炉２０４，集塵機２２８を通る循環路２３０を、循環ファン２３２により循環流通させられるようになっている。
この循環系では、乾燥炉２０４においてリークエアが循環する熱風中に入り込む。
【００１３】
一方で熱風炉２２６には燃焼空気が定量供給されており、そのためここでは熱風の一部を抜き取るべく、熱風炉２２６の下流部において分岐路２３４が設けられており、熱風炉２２６から出た熱風の一部がこの分岐路２３４を通じて外部に取り出されるようになっている。
【００１４】
この分岐路２３４に取り出された熱風は高温状態（約７００℃程度）にあり、そこで分岐路２３４に取り出された熱風が、循環路２３０上に設けられた熱風炉熱交換器２３６で熱交換され、更に空気取入口２４０から取り入れられた外気により希釈及び冷却された上で、排ガスファン２３８により排気路２４２，２４４を通じて煙突２４６から外部に放出される。
ここで分岐路２３４に取り出された熱風の、熱風炉熱交換器２３６で熱交換された後の温度は約４００℃程度であり、そして空気取入口２４０からの外気の取入れによる希釈・冷却により、排ガスファン２３８の下流部で温度は約２００〜２５０℃程度となる。
【００１５】
尚、空気取入口２４０からの空気の取入量は調整弁２４８によって調整される。
また循環路２３０を循環流通する熱風は、熱風炉熱交換器２３６で熱交換されることによりそこで温度上昇させられた上、熱風炉２２６の入口に戻される。
【００１６】
上記炭化炉２０８からは、その排ガスを排出するための排気路２５０が延び出している。
この排気路２５０に取り出された炭化炉２０８からの排ガスは、温度が８００〜１０００℃程度の高温度であり、そこで先ず空気取入口２５８からの外気の取入れによって希釈及び冷却された上で、循環路２３０上に設けられた炭化炉熱交換器２５２で熱交換され、そこで温度降下された後、更に炭化炉熱交換器２５２の下流部において、空気取入口２６０からの外気の取入れにより再び希釈・冷却された上で、排ガスファン２５４により排気路２５６，２４４を通じて煙突２４６から外部に放出される。
【００１７】
尚炭化炉２０８から排出された排ガスは、空気取入口２５８からの外気の取入れによる希釈・冷却により、その温度は約７００℃程度となり、そして炭化炉熱交換器２５２における熱交換、更に空気取入口２６０からの外気の取入れによる冷却によって２００〜２５０℃程度の温度まで温度降下された上で、排ガスファン２５４により排気路２５６，２４４を通じ煙突２４６から外部に放出される。
この炭化炉２０８にはＬＰＧ，灯油等の燃料が燃焼空気とともに供給される。ここでＬＰＧはパイロットバーナの燃焼用として用いられ、また灯油は燃焼バーナ用の燃料として用いられる。
【００１８】
この種の炭化処理装置は、例えば下記特許文献１，特許文献２に開示されている。
しかしながらこの炭化処理装置の場合、乾燥炉２０４，炭化炉２０８がそれぞれ別の炉として必要であるとともに、乾燥炉２０４から出た排ガスを処理して煙突２４６から排出するための排ガスライン及び炭化炉２０８から排出された排ガスを処理して煙突２４６から排出するための排ガスラインがそれぞれ別系統の排ガスラインとして必要であり、装置全体の機器点数が多くなって装置コストが高くなるとともに、装置自体も必然的に大型化してしまうといった問題を内包している。
【００１９】
【特許文献１】特開平１１−３７６４４号公報
【特許文献２】特開平１１−３７６５６号公報
【発明の開示】
【発明が解決しようとする課題】
【００２０】
本発明はこのような事情を背景とし、装置に要する機器点数が少なくて済み、装置コストを低減することができるとともに、装置自体をコンパクト化することのできる有機物含有汚泥の炭化処理装置を提供することを目的としてなされたものである。
【課題を解決するための手段】
【００２１】
而して請求項１のものは、（イ）乾燥容器としての回転ドラムを有し、その軸方向の一端側から内部に供給された有機物含有汚泥を、該回転ドラムを回転させつつその内部に沿って軸方向に移動させ、該移動の過程で熱風による該汚泥の乾燥処理を行うとともに、乾燥後の汚泥を軸方向の他端側から排出する乾燥炉と、（ロ）炉体内部に回転ドラムを乾留容器として有し、該回転ドラムの軸方向の一端側から内部に供給された乾燥後の前記汚泥を、該回転ドラムを回転させつつその内部に沿って軸方向に移動させ、該移動の過程で該汚泥を乾留処理により炭化させて、炭化物を該回転ドラムの軸方向の他端側から排出する炭化炉と、を備えた有機物含有汚泥の炭化処理装置において、前記炭化炉の前記回転ドラムから前記乾燥炉の回転ドラムを軸方向に連続する形態で突出形成して、それら炭化炉と乾燥炉とを一体構造化し、該乾燥炉で乾燥した前記汚泥を別途の移送装置を経由することなく該乾燥炉の前記回転ドラムから前記炭化炉の回転ドラムに直接的に移行させるようになしたことを特徴とする。
【００２２】
請求項２のものは、請求項１において、前記炭化炉における回転ドラム内部の高温のガスを、前記汚泥の進行方向とは逆向きに該炭化炉の回転ドラム内部から前記乾燥炉の回転ドラム側に乾燥用熱風として流すようになしてあることを特徴とする。
【００２３】
請求項３のものは、請求項２において、前記炭化処理装置が前記乾燥炉に供給する熱風を発生させる熱風炉を独立に有しておらず、該炭化炉が該熱風炉を兼用していることを特徴とする。
【００２４】
請求項４のものは、請求項１〜３の何れかにおいて、前記炭化炉の回転ドラム内の高温のガスを前記乾燥用熱風として前記乾燥炉の回転ドラム内に通した後に、再び該炭化炉の排ガス処理室に通して、該排ガス処理室内で２次燃焼させ、未燃ガスを燃焼処理するようになしてあることを特徴とする。
【発明の作用・効果】
【００２５】
以上のように本発明は、炭化炉における回転ドラムから乾燥炉の回転ドラムを軸方向に連続する形態で突出形成して、それら炭化炉と乾燥炉とを一体構造化し、乾燥炉で乾燥した汚泥を乾燥炉の回転ドラムから直接的に炭化炉の回転ドラム内に移行させるようになしたもので、本発明によれば、従来別々の炉として必要とされていた乾燥炉と炭化炉の２つの炉が実質的に１つの炉で済むようになり、またこれに伴って従来別々に構成されていた乾燥炉からの排ガスを処理して排出する排ガスライン，炭化炉からの排ガスを処理して排出する排ガスラインの２つの排ガスラインが１つの排ガスラインで済むようになる。
【００２６】
更には乾燥炉で乾燥処理された汚泥を炭化炉まで移送する移送装置も不要化し得て、装置全体に要する機器点数を著しく少なくすることができ、装置に要するコストを低減することができる。
またこれに伴って装置そのものをコンパクト化することができる。
【００２７】
請求項２は、炭化炉の回転ドラム内部の高温のガスを、汚泥の進行方向とは逆向きに乾燥炉の回転ドラムの側に乾燥用熱風として流すようになしたもので、この請求項２によれば、炭化炉における回転ドラム内部の高温のガスを乾燥炉における乾燥用熱風として有効に活用することができ、場合によって乾燥炉における乾燥用の熱風を発生させるための熱風炉自体を、かかる炭化炉にて兼用させるようになすことが可能となる。
【００２８】
而してその炭化炉において熱風炉も兼用させるようになした場合（請求項３）、従来必要とされていた熱風炉、更には熱風炉からの余剰熱風の一部を外部に排出するための排ガスラインをも省略することが可能となり、装置に要する機器点数を更に削減し得て装置コストをより低減することが可能となるとともに、装置を更にコンパクト化することが可能となる。
【００２９】
請求項４は、炭化炉の回転ドラム内の高温のガスを上記乾燥用熱風として乾燥炉に通した後に、再び炭化炉の排ガス処理室に通してそこで２次燃焼させ、未燃ガスを燃焼処理するようになしたもので、本発明によれば、炭化炉における回転ドラム内の未燃ガスを含む高温のガスを、乾燥炉における乾燥用熱風として利用しつつ、そこに含まれている未燃ガスを炭化炉の排ガス処理室で２次燃焼させることで、臭気ないし有害成分を除去した上で煙突から外部に排出するようになすことができる。
【発明を実施するための最良の形態】
【００３０】
次に本発明の実施形態を図面に基づいて詳しく説明する。
図１は本発明の一実施形態である有機物含有汚泥、ここでは下水の排水処理で生じた有機汚泥の炭化処理装置の全体構成を示したもので、図中１０は受入ホッパであり、含水率８０％程度まで脱水された汚泥ケーキがこの受入ホッパ１０に先ず受け入れられる。
【００３１】
ここに受け入れられた汚泥ケーキは定量供給装置１２にて炭化炉１４と一体構造体として構成された乾燥炉１６へと送られて、そこで汚泥ケーキが所定の含水率、例えば４０％程度の含水率まで乾燥処理される。
尚この乾燥炉１６における汚泥ケーキの乾燥の際には、汚泥ケーキの粉砕が併せて行われる。
【００３２】
乾燥後の汚泥は続いて炭化炉１４へと移行せしめられ、そこで乾留処理即ち炭化処理が行われる。そして処理後の炭化物（炭化製品）が排出口１８から排出せしめられる。
この炭化炉１４にはＬＰＧ，灯油等の燃料が燃焼空気とともに供給される。ここでＬＰＧはパイロットバーナの燃焼用として用いられ、また灯油は燃焼バーナ用の燃料として用いられる。
【００３３】
この炭化炉１４からは排気路２０が延び出しており、炭化炉１４からの排ガスが煙突２２より外部に排出される。
この炭化炉１４と煙突２２との間の排気路２０上には調整弁２４，排ガスファン２６及び集塵機２８が設けられている。
ここで調整弁２４は炭化炉１４の炉内圧調整のための弁である。
【００３４】
排気路２０上において、この調整弁２４と排ガスファン２６との間の部位には、空気取入口３０から取り入れた冷却及び希釈用の空気を導入する空気導入路３２が接続されており、その空気導入路３２上に調整弁３４が設けられている。
調整弁３４は、冷却及び希釈用空気として導入される空気量を調整する弁である。
尚、必要に応じて排気路２０上に熱交換器３６を設けておいても良い。
【００３５】
図２及び図３に炭化炉１４の具体的構成が示してある。
これらの図に示しているように炭化炉１４は炉体３８を有しており、その内部に乾留容器となる回転ドラム４０が回転可能に設けられている。
炉体３８内部且つ回転ドラム４０の外部には外熱室４２が形成されており、そこに複数の燃焼バーナ４４が配設されている。
【００３６】
この回転ドラム４０から成る乾留容器はこれら燃焼バーナ４４による燃焼ガスによって加熱され、その内部において乾燥炉１６側から送られて来た乾燥後の汚泥が無酸素ないし低酸素条件の下で乾留処理されて炭化される。
【００３７】
ここで回転ドラム４０は図中右向き、即ち排出側に向って下向きに若干傾斜しており、乾燥炉１６側から送られて来た乾燥後の汚泥が、回転ドラム４０の回転を伴って右向きに送られて行き、そして最終の炭化物（炭化製品）が回転ドラム４０の図中右端部から排出口１８を通じて外部に排出される。
尚、回転ドラム４０にはその内部と外熱室４２とを連通させるようにしてパイプ４６が設けられている。
【００３８】
炉体３８の内部にはまた排ガス処理室４８が設けられており、そこに２次燃焼バーナ（排ガス処理用バーナ）５０が設けられている。
ここで排ガス処理室４８は隔壁５２にて外熱室４２と区画されている。
【００３９】
この排ガス処理室４８では、後述するように乾燥炉１６を通った後に送り込まれて来た排ガス中の未燃ガスが、２次燃焼バーナ５０により燃焼せしめられてそこで排ガス浄化が行われる。
そして２次燃焼後の排ガスが、排気口５４から上記の排気路２０を構成する排気管５５へと排出される。
【００４０】
図３に示しているように、回転ドラム４０における炉体３８の入口部の外周部にはスクリューコンベヤ５６が設けられている。
このスクリューコンベヤ５６はスパイラル状の羽根５８を有しており、その羽根５８の回転に伴って、乾燥炉１６で乾燥処理された汚泥が炭化炉１４の回転ドラム４０内部に連続的に供給される。
【００４１】
ここでスクリューコンベヤ５６はマテリアルシールとしての働きも有している。
尚このスクリューコンベヤ５６の内側の空間は、回転ドラム４０内の高温のガスを図中左向き、即ち乾燥炉１６側に流通させるための通路６０を形成している。
【００４２】
図２に示しているように、炭化炉１４の回転ドラム４０からは乾燥炉１６の乾燥容器を成す回転ドラム６２が軸方向に連続して突出形成されている。
即ちこの実施形態では炭化炉１４と乾燥炉１６とが一体構造体として構成されている。いわば炭化炉１４が従来の乾燥炉１６を兼用した形態で構成されている。
【００４３】
炭化炉１４の回転ドラム４０内部の高温のガスは、排ガスファン２６（図１参照）による吸引作用によって、上記の通路６０を通じ乾燥炉１６の回転ドラム６２内に乾燥用熱風として流入させられる。
そしてその乾燥用熱風は、回転ドラム６２の図中右端から左端に向けて回転ドラム６２内部を移動し、その過程で回転ドラム６２内部で汚泥の乾燥処理が行われる。
【００４４】
この乾燥炉１６における回転ドラム６２の左端部に到った乾燥用熱風即ち高温のガスは、排ガスファン２６の吸引作用により管路６４を通じて炭化炉１４における排ガス処理室４８へと導かれ、上記のようにそこにおいて未燃ガスの２次燃焼が行われる。
尚乾燥炉１６における回転ドラム６２もまた、炭化炉１４における回転ドラム４０と同じ勾配で図中右向きに傾斜している。
【００４５】
図４にも示しているように乾燥炉１６における回転ドラム６２の内部には、撹拌軸６６が回転可能に設けられている。
ここで撹拌軸６６は、図５に詳しく示しているように回転ドラム６２の中心から偏心した位置に設けられている。
【００４６】
回転ドラム６２の内部において、この撹拌軸６６には複数の撹拌羽根６８が放射状に延び出す形態で設けられている。
一方回転ドラム６２の内周面には、周方向に所定間隔で複数の板状のリフター７０が回転ドラム６２と一体回転する状態で設けられている。
【００４７】
その結果として、回転ドラム６２内部の汚泥は回転ドラム６２の回転に伴ってリフター７０により底部から上方に持ち上げられ、そしてその頂部近くで自重により落下する。落下した汚泥はその下側に位置する撹拌羽根６８の高速回転により細かく粉砕され、回転ドラム６２の底部側へと落下する。
回転ドラム６２内部の汚泥は、このような撹拌作用を受けながらその内部に導かれた乾燥用熱風に曝されて乾燥処理され、次第に含有水分が減少して行く。
【００４８】
尚この乾燥炉１６においては、回転ドラム６２の傾斜勾配により、更には撹拌羽根６８による粉砕及びその際の飛散作用によって、回転ドラム６２内部を図中左端から右端に向って漸次送られて行く。
そして炭化炉１４の入口部のスクリューコンベヤ５６の送り作用で、炭化炉１４の回転ドラム４０内部に連続的に送り出される。
【００４９】
乾燥炉１６における上記撹拌軸６６は、図２及び図４にも詳しく示しているように図中左方向に長く延び出しており、そしてその端部と中間部とが、一対の軸受７２にて回転可能に支持されている。
この実施形態において、撹拌軸６６は片持状態で支持されることとなり、そのためこの実施形態ではかかる撹拌軸６６を軸方向に距離をおいた２箇所で一対の軸受７２によりこれを安定的に支持するようになしている。
【００５０】
撹拌軸６６には駆動モータ７４が作動的に連結されており、撹拌軸６６はこの駆動モータ７４により１分間に２００〜４００回転の中速〜高速回転で回転せしめられる。
一方回転ドラム６２は１分間に４回転ぐらいの低速回転である。
【００５１】
図４にも示しているように乾燥炉１６の回転ドラム６２には駆動モータ７６が作動的に連結されており、この駆動モータ７６によって、乾燥炉１６における回転ドラム６２及び炭化炉１４における回転ドラム４０が共通に回転駆動される。
【００５２】
図４において、７８は汚泥ケーキの投入ホッパで、投入口８０からその内部に汚泥ケーキが投入されるようになっている。
投入された汚泥ケーキは、スクリューフィーダ８２によって図中右方に前進送りされ、その先端から乾燥炉１６の回転ドラム６２内部に投入される。
【００５３】
投入ホッパ７８の内部には、アーチブレーカとしての撹拌パドル８４が回転可能に設けられている。
その撹拌パドル８４の回転軸８６には駆動モータ８８が作動的に連結され、その駆動モータ８８により撹拌パドル８４が回転駆動される。
【００５４】
この撹拌パドル８４の回転軸８６は、上記のスクリューフィーダ８２の回転軸９０にも作動的に連結されており、駆動モータ８８によってこれら撹拌パドル８４の回転軸８６とスクリューフィーダ８２の回転軸９０とが共通に回転駆動される。
【００５５】
次に本実施形態における汚泥の処理の流れを以下に説明する。
本実施形態では、図１の受入ホッパ１０に受け入れられた汚泥が定量供給装置１２によって図４の投入ホッパ７８へと投入され、続いてスクリューフィーダ８２によって乾燥炉１６の回転ドラム６２内に連続供給される。
【００５６】
回転ドラム６２内に供給された含水率８０％程度の高含水の汚泥は、回転ドラム６２の回転作用及び撹拌羽根６８の撹拌作用によって図中右向きに粉砕されつつ漸次移動する。
そしてその移動の過程で、炭化炉１４の回転ドラム６０側から図中左向きに流れ込んで、回転ドラム６２内を汚泥の進行方向とは逆向きに流れる高温のガス即ち乾燥用熱風に曝されて、そこで乾燥処理されて行く。
【００５７】
そして乾燥処理された汚泥が回転ドラム６２の図中右端からスクリューコンベヤ５６の送り作用で炭化炉１４の内部、詳しくは炭化炉１４の回転ドラム４０内部に連続的に送り込まれて行く。
【００５８】
回転ドラム４０内部に送り込まれた乾燥後の汚泥は、回転ドラム４０内部において加熱下で乾留処理され、そして最終的な乾留残渣即ち炭化物が、排出口１８から炭化製品として外部に排出される。
【００５９】
この間炭化炉１４の回転ドラム４０内の高温のガスは連続的に図中左向きに流れて行き、そして乾燥炉１６の末端部即ちその回転ドラム６２の図中左端部から、管路６４を通じて取り出された上、再び炭化炉１４の排ガス処理室４８へと戻されて、そこで２次燃焼される。
そして２次燃焼後の排ガスが、排気口５４を通じて排気路２０に取り出され、そしてその排気路２０を流通した後、煙突２２から外部に放出される。
【００６０】
以上のように本実施形態では、従来別々の炉として必要とされていた乾燥炉１６と炭化炉１４との２つの炉を実質的に１つの炉として構成しており、必要な炉の数を減らすことができるとともに、これに伴って従来別々に構成されていた乾燥炉１６からの排ガスライン，炭化炉１４からの排ガスラインの２つの系統の排ガスラインを１系統の排ガスラインで済ませることができる。
【００６１】
更には乾燥炉１６で乾燥処理された汚泥を炭化炉１４まで移送する移送装置も不要化し得て、装置全体に要する機器点数を著しく少なくすることができ、装置コストを低減することができる。
またこれに伴って装置そのものをコンパクト化することができる。
【００６２】
また炭化炉１４における回転ドラム４０内部の高温のガスを乾燥炉１６における乾燥用熱風として有効に活用することができ、乾燥炉１６における乾燥用の熱風発生のための熱風炉自体をかかる炭化炉１４にて兼用させることができる。
【００６３】
そしてこれにより従来別に必要とされていた熱風炉の省略も可能となり、更には熱風炉からの余剰熱風の一部を外部に排出するための排ガスラインも省略することが可能となって、装置に要する機器点数及びコストを更に低減することが可能となるとともに、装置を更にコンパクト化することが可能となる。
【００６４】
更に本実施形態によれば、回転ドラム４０内の未燃ガスを含む高温のガスを乾燥炉１６における乾燥用熱風として利用しつつ、そこに含まれている未燃ガスを炭化炉１４の排ガス処理室４８に通して２次燃焼させることで、臭気ないし有害成分を十分に除去した上で外部に放出することができる。
【００６５】
以上本発明の実施形態を詳述したがこれはあくまで一例示である。
例えば本発明においては炭化炉１４における回転ドラム４０と乾燥炉１６における回転ドラム６２とを継目のない一体物として構成しておくこともできるし、或いはまたそれぞれを別の部材で構成して互いを連結一体化するといったことも可能である。
【００６６】
また上記実施形態では炭化炉１４に熱風炉を兼用させ、これによって従来別に設けられていた熱風炉を省略しているが、場合によって熱風炉を別に設けて、そこで発生した熱風を乾燥炉１６における乾燥用熱風の全部若しくは一部として用いるようになすことも可能である。
その他本発明はその趣旨を逸脱しない範囲において種々変更を加えた形態で構成可能である。
【図面の簡単な説明】
【００６７】
【図１】本発明の一実施形態の炭化処理装置の全体構成を示す図である。
【図２】同炭化処理装置の要部を示す図である。
【図３】図２の更に要部を示す図である。
【図４】図２の図３とは別の要部を示す図である。
【図５】図２及び図４における乾燥炉の横断面図である。
【図６】従来の炭化処理装置の一例を示す図である。
【図７】図６における炭化炉の内部の構成を示す図である。
【符号の説明】
【００６８】
１４  炭化炉
１６  乾燥炉
３８  炉体
４０，６２  回転ドラム
４８  排ガス処理室
【図１】
2005230788.tif 000003
【図２】
2005230788.tif 000004
【図３】
2005230788.tif 000005
【図４】
2005230788.tif 000006
【図５】
2005230788.tif 000007
【図６】
2005230788.tif 000008
【図７】
2005230788.tif 000009